(57)【要約】【課題】大量のLEDを配置して円弧状のディスプレイを構成するに際し、LEDの配置間隔に起因する映像の劣化を防ぎ、生産性を向上させ、LEDを換装可能にする。【解決手段】  本開示の一側面である表示装置は、発光する色の異なる複数の発光素子が縦横に配列されている発光素子パッケージが、縦方向が平面、横方向が円弧状のベース基板に配置されている。本開示は、例えば全周囲立体映像表示装置に適用することができる。【選択図】図８
2013015648.tif 000002
【特許請求の範囲】
【請求項１】
発光する色の異なる複数の発光素子が縦横に配列されている発光素子パッケージが、縦方向が平面、横方向が円弧状のベース基板に配置されている
表示装置。
【請求項２】
円弧状に折り曲げられる前の前記ベース基板に配置されている前記発光素子パッケージの縦方向の配置間隔ｄ１と横方向の配置間隔ｄ２とは異なる
請求項１に記載の表示装置。
【請求項３】
前記縦方向の配置間隔ｄ１と前記横方向の配置間隔ｄ２とは次式を満たす
ｄ２＞ｄ１
請求項２に記載の表示装置。
【請求項４】
前記縦方向の配置間隔ｄ１と前記横方向の配置間隔ｄ２とは次式を満たす
ｄ２＜ｄ１
請求項２に記載の表示装置。
【請求項５】
前記発光素子パッケージが配置される前記ベース基板の背面には実装部品が配置されており、前記ベース基板は前記実装部品が配置されていない位置で折り曲げられている
請求項２に記載の表示装置。
【発明の詳細な説明】
【技術分野】
【０００１】
本開示は、表示装置に関し、例えば、大量のLED(light emitting diode)により円弧状のディスプレイを構成するようにした表示装置に関する。
【背景技術】
【０００２】
従来、テレビジョン受像機などに採用されている平面ディスプレイに立体視可能な映像を表示する３次元表示技術が存在する。この３次元表示技術は、例えば、ディスプレイを見る人の左右の眼の視差を利用するものがある。具体的には、例えば、平面ディスプレイに左目用の画像と右目用の映像を交互に表示し、さらに偏光フィルタなどを介することにより、左目には左目用の映像だけが、右目には右目用の映像だけが見られるようにして立体視を実現している。
【０００３】
これに対して、被写体（表示されるオブジェクト）を中心とする円周上に設けられた複数の視点から撮像した（または、コンピュータグラフィックスによりオブジェクトを全周囲から見た状態を想定して生成した）視点の異なる複数の画像（以下、視点画像と称する）を用い、全周囲の任意の方向から見てもオブジェクトを立体的に視認できるように表示を行う全周囲立体映像表示装置が数多く提案されている（例えば、特許文献１または２参照）。
【０００４】
これらの全周囲立体映像表示装置は、その筐体が円筒形状を成しており、筐体の内部には大量の小型のLED(light emitting diode)を配置して構成された円弧状のディスプレイが、筐体の側面にはスリットが設けられており、ディスプレイの映像がスリット越しに筐体の外部から視認できるようになされている。そして、筐体がモータにより高速回転されることにより、円筒形状の筐体側面を任意の方向から見るユーザに対して、ディスプレイに表示されたオブジェクトが立体的に視認できるようになされている。
【先行技術文献】
【特許文献】
【０００５】
【特許文献１】特開２００４−１７７７０９号公報
【特許文献２】特開２００５−１１４７７１号公報
【発明の概要】
【発明が解決しようとする課題】
【０００６】
大量のLEDを配置して円弧状のディスプレイを構成するに際しては、LEDの配置間隔に起因する映像の劣化（筋の発生など）を防ぐ、生産性を向上させる、LEDを換装可能にするなどが要求されている。
【０００７】
本開示はこのような状況に鑑みてなされたものであり、大量のLEDを配置して円弧状のディスプレイを構成するに際し、LEDの配置間隔に起因する映像の劣化を防ぎ、生産性を向上させ、LEDを換装可能にするものである。
【課題を解決するための手段】
【０００８】
本開示の一側面である表示装置は、発光する色の異なる複数の発光素子が縦横に配列されている発光素子パッケージが、縦方向が平面、横方向が円弧状のベース基板に配置されている。
【０００９】
円弧状に折り曲げられる前の前記ベース基板に配置されている前記発光素子パッケージの縦方向の配置間隔ｄ１と横方向の配置間隔ｄ２とは異なるようにすることができる。
【００１０】
前記縦方向の配置間隔ｄ１と前記横方向の配置間隔ｄ２とは次式を満たすようにすることができる。
ｄ２＞ｄ１
【００１１】
前記縦方向の配置間隔ｄ１と前記横方向の配置間隔ｄ２とは次式を満たすようにすることができる。
ｄ２＜ｄ１
【００１２】
前記発光素子パッケージが配置される前記ベース基板の背面には実装部品が配置されており、前記ベース基板は前記実装部品が配置されていない位置で折り曲げられているようにすることができる。
【発明の効果】
【００１３】
本開示の一側面によれば、大量のLEDを配置して円弧状のディスプレイを構成するに際し、LEDの配置間隔に起因する映像の劣化を防ぎ、生産性を向上させ、LEDを換装可能にすることができる。
【図面の簡単な説明】
【００１４】
【図１】本開示の実施の形態である全周囲立体映像表示装置の外観図である。
【図２】全周囲立体映像表示装置の水平方向の断面略図である。
【図３】LEDパッケージの構成例を示す外観図である。
【図４】LEDパッケージの断面図である。
【図５】LEDパッケージの配線図である。
【図６】LEDパッケージの他の構成例を示す外観図である。
【図７】LEDパッケージの他の構成例を示す外観図である。
【図８】LEDパッケージの間隔を示す図である。
【図９】LEDパッケージの間隔を示す図である。
【図１０】LEDパッケージの間隔を示す図である。
【図１１】LEDパッケージの他の構成例を示す外観図である。
【図１２】LEDパッケージの間隔を示す図である。
【図１３】LEDパッケージの間隔を示す図である。
【発明を実施するための形態】
【００１５】
以下、発明を実施するための最良の形態（以下、実施の形態と称する）について、図面を参照しながら詳細に説明する。
【００１６】
＜１．実施の形態＞
［全周囲立体映像表示装置の構成例］
図１は、実施の形態である全周囲立体映像表示装置の外観を示している。この全周囲立体映像表示装置１０は、台座となる固定部１１と、高速回転される円筒形状の回転部１２から構成される。
【００１７】
全周囲立体映像表示装置１０は、高速回転される回転部１２を任意の方向から見たユーザが立体的に視認できるオブジェクトを、回転部１２の内部中央に出現させる（表示させる）。
【００１８】
固定部１１は、回転部１２が高速回転されている状態であっても全周囲立体映像表示装置１０が移動しない程度に十分な重量を有している。回転部１２は、その円筒状の側面に複数のスリット１３が設けられており、その内部にはスリット１３と同数のディスプレイ２１が設けられている。本実施の形態の場合、スリット１３およびディスプレイ２１の数は３であるが、これに限定されるものではない。
【００１９】
図２は、回転部１２の水平方向の断面を示している。
【００２０】
回転部１２の内部には、回転軸２２を中心として円弧上に形成されたディスプレイ２１−１乃至２１−３が設けられる。各ディスプレイ２１の表示面には、大量の小型のLEDが配置される。ディスプレイ２１−ｉ（ｉ＝１，２，３）の映像は、回転部１２の外部から、スリット１３−ｉを介して視認される。
【００２１】
なお、各ディスプレイ２１の表示面に配置されるLEDは１個単位で配置されるのではなく、所定原色のLEDが所定の数、所定の位置に配置されて構成されているLEDパッケージ単位で配置される。LEDパッケージ単位で配置することは、LED単位で配置することに比較して、ディスプレイ２１の生産性が向上し、LEDに不良品や故障があった場合の換装が容易となる。
【００２２】
[LEDパッケージの構成例]
図３は、LEDパッケージの構成例を示しており、同図Ａは上面を、同図Ｂは背面を示している。同図Ａに示されるように、LEDパッケージ３０は、Ｒ，Ｇ，Ｂ各色のLED３１Ｒ，３１Ｇ，３１Ｂが３個ずつ、横方向に同色、縦方向に異色のLEDが等間隔で配置されることにより、３×３のLEDからなるLEDパッケージ３０が構成される。９個のLEDからなるLEDパッケージ３０は、その背面に６個端子を有する。
【００２３】
図４は、LEDパッケージ３０の断面を示している。LEDパッケージ３０は、パッケージ基板４１上に設けられたLEDチップ４２を中心とし、LEDチップ４２を覆うように樹脂レンズ４３が形成されている。なお、図示は省略するが、LEDチップ４２にはパッケージ基板４１を接続されたワイヤが設けられており、このワイヤに対しても樹脂レンズ４３と同じ素材の樹脂コートが形成されている。また、ワイヤの代わりにフリップチップを用いてもよい。LEDパッケージ３０の最上面には、黒色つや無しのメタルなどにより樹脂レンズ４３以外の部分を覆うマスク４４が設けられている。さらに、LEDチップ４２の側面に、LEDチップ４２からの光を反射するためのリフレクタを設けてもよい。なお、同図において、ＰはLED３１の実装間隔、ｔはディスプレイ２１のベース基板から発光面までの高さを示している。
【００２４】
図５は、LEDパッケージ３０の配線図を示している。同図に示されるように、端子の数は、縦方向のLEDの数と、横方向のLEDの数との和となる。したがって、LEDパッケージ３０の場合には６端子となる。
【００２５】
なお、LEDパッケージは、図３のLEDパッケージ３０をベースとして、それを複数個連結して構成するようにしてもよい。
【００２６】
図６は、LEDパッケージ３０を縦方向に２個連結したLEDパッケージ５０を示しており、同図Ａは上面を、同図Ｂは背面を示している。LEDパッケージ５０の場合、１８個のLEDを、実線で示す９端子からの電力により駆動することができる。ただし、はんだ実装の安定性、配線抵抗の削減、回転時の重量バランスなどを考慮し、破線で示す３端子も実装した合計１２端子を設けるようにしてもよい。
【００２７】
なお、LEDパッケージ３０における各色の配置については図３の例に限定されない。例えば、図７に示されるLEDパッケージ３０’のようなベイヤ配列としてもよい。また、図示は省略するが、上段左からＧＢＲ、中段左からＲＧＢ、下段左からＢＲＧのように斜め配列としてもよい。さらに、Ｒ，Ｇ，Ｂ以外の３原色を採用するようにしてもよい。あるいは、４原色のLEDを用いてLEDパッケージを構成するようにしてもよい。
【００２８】
[ディスプレイにおけるLEDパッケージの配置]
図８は、ディスプレイのベース基板が円弧状に折り曲げられる前のLEDパッケージ３０の配置を示している。同図に示すように、ディスプレイ２１におけるLEDパッケージ３０の縦方向の配置間隔をｄ１、横方向の配置間隔をｄ２とする。なお、縦方向の配置間隔をｄ１については、LEDパッケージ３０における各LED３１の実装間隔と同一にすることが望ましい。横方向の配置間隔ｄ２については、ディスプレイ２１のベース基板が円弧状に折り曲げられることを考慮して、縦方向の配置間隔ｄ１よりも広くする、すなわち、ｄ２＞ｄ１を満たす必要がある。
【００２９】
ディスプレイ２１におけるLEDパッケージ３０の横方向の配置間隔ｄ２について詳述する。
【００３０】
図９は、LEDパッケージ３０が配置されるディスプレイ２１のベース基板の反対面に、ベース基板の曲げ位置に影響を及ぼす実行部品（ＩＣチップなど）が配置されない場合を示している。この場合、配置間隔ｄ２については次式（１）に従う。
【数１】
2013015648.tif 000003
・・・（１）
ｄ２：横方向の配置間隔ｄ２（ベース基板が曲がっていない状態における値）
ｎ：LEDパッケージ３０の横方向のLED数（いまの場合、ｎ＝３）
Ｐ：LED３１の実装間隔
Ｒ１：ベース基板の曲げ半径
Ｒ２：LEDの発光面が形成する仮想的な曲面の半径
【００３１】
図１０は、LEDパッケージ３０が配置されるディスプレイ２１のベース基板の反対面に、ベース基板の曲げ位置に影響を及ぼす実行部品（ＩＣチップなど）が配置されている場合を示している。同図の場合、横方向に３個のLEDパッケージ３０に対して１個の実装部品が配置されている。実装部品が配置されない場所でのみベース基板を折り曲げ、その折り曲げ部でのみ横方向の間隔を広げるようにすると、その配置間隔ｄ２については次式（２）に従う。なお、この場合、折り曲げ部以外の横方向の間隔は、縦方向の配置間隔ｄ１と共通とする。
【数２】
2013015648.tif 000004
・・・（２）
θ：ベース基板の曲げの中心からベース基板の折り曲げ部に引いた線の成す角
【００３２】
以上のように、LEDパッケージ３０の横方向の配置間隔ｄ２を定めることにより、ディスプレイの映像に縦方向の筋が生じるような映像の劣化を防止することができる。
【００３３】
[変形例]
LEDパッケージについては、２×２の４個のLEDから構成してもよい。図１１は、この場合のLEDパッケージ３０”の構成例を示しており、同図Ａは上面を、同図Ｂは背面を示している。LEDパッケージ３０”は、上段左からＧＲ、下段左からＢＧの４個のLEDにより構成される。背面には、各色のLEDに電圧を印加する端子ＶＧ，ＶＲ，ＶＢと、各LEDをグランドに接続する端子ＶＥが設けられている。このLEDパッケージ３０”をベースとして、これを縦方向に２個連結してパッケージ化してもよい。
【００３４】
なお、本実施の形態においては、円弧状のベース基板の内側にLEDパッケージを配置するが、本開示は、円弧状のベース基板の外側にLEDパッケージを配置する場合に対して適用することも可能である。ただし、その場合には、上述した実施の形態とは反対にｄ２＜ｄ１を満たす必要がある。
【００３５】
例えば、図１２は、LEDパッケージ３０が配置されるディスプレイ２１のベース基板の反対面に、ベース基板の曲げ位置に影響を及ぼす実行部品（ＩＣチップなど）が配置されない場合を示している。この場合、配置間隔ｄ２については式（１）に従う。
【００３６】
また例えば、図１３は、LEDパッケージ３０が配置されるディスプレイ２１のベース基板の反対面に、ベース基板の曲げ位置に影響を及ぼす実行部品７１が配置されている場合を示している。同図の場合、横方向に３個のLEDパッケージ３０に対して１個の実装部品が配置されている。実装部品が配置されない場所でのみベース基板を折り曲げ、その折り曲げ部でのみ横方向の間隔を広げるようにすると、その配置間隔ｄ２については式（２）に従う。
【００３７】
ところで、本実施の形態においては、全周囲から立体視可能な３Ｄ映像を表示するようにしたが、全周囲からに同じ２Ｄ映像を表示するようにしてもよい。あるいは、全周囲を複数に分割し、分割した数の異なる情報（時刻、ニュース、広告、案内など）を同時に表示するようにしてもよい。
【００３８】
本開示の実施の形態は、上述した実施の形態に限定されるものではなく、本開示の要旨を逸脱しない範囲において種々の変更が可能である。
【符号の説明】
【００３９】
１０  全周囲立体映像表示装置，  １１  固定部，  １２  回転部，  １３  スリット，  ２１  ディスプレイ，  ２２  回転数調整部，  ３０  LEDパッケージ，  ３１  LED，  ３２  端子，  ５０  LEDパッケージ
【図１】
2013015648.tif 000005
【図２】
2013015648.tif 000006
【図３】
2013015648.tif 000007
【図４】
2013015648.tif 000008
【図５】
2013015648.tif 000009
【図６】
2013015648.tif 000010
【図７】
2013015648.tif 000011
【図８】
2013015648.tif 000012
【図９】
2013015648.tif 000013
【図１０】
2013015648.tif 000014
【図１１】
2013015648.tif 000015
【図１２】
2013015648.tif 000016
【図１３】
2013015648.tif 000017